(57)【特許請求の範囲】
【請求項１】
ウェブサーバ内のウェブページの情報を携帯端末で閲覧可能とするための変換サーバとネットワークを介して接続可能なテンプレート作成装置であって、
前記携帯端末の利用条件である入力利用条件を入力する利用条件入力手段と、
前記携帯端末への送信先を特定する情報を入力する送信先入力手段と、
前記携帯端末のユーザが閲覧を希望するウェブサーバ内の特定のウェブページのアドレス情報を入力するアドレス情報入力手段と、
前記入力利用条件と前記アドレス情報入力手段により入力されたアドレス情報とに基づいて、前記携帯端末が前記特定のウェブページに容易にアクセスするためのテンプレートを作成するテンプレート作成手段と、
予め定められた複数種類の携帯端末の利用条件である予定利用条件を保存する利用条件保存手段と、
前記予定利用条件毎に対応させ予め定められた複数種類のアイコンであって絵文字で構成されたアイコンを保存するアイコン保存手段と、
前記予定利用条件毎に対応させ予め定められた複数種類のディスプレイの背景画面を保存する背景画面保存手段と、
前記入力利用条件と、前記予定利用条件とを照合する手段と、
前記入力利用条件と、前記アドレス情報入力手段により入力されたアドレス情報と、前記送信先入力手段により入力された送信先を特定する情報と、前記テンプレート作成手段により作成されたテンプレートの情報とを、個人情報として前記変換サーバへ送信する個人情報送信手段と、
前記テンプレート作成手段により作成されたテンプレートの情報を前記携帯端末へ送信可能な通信手段として利用可能な第１の通信手段と第２の通信手段とを含み、
前記第１の通信手段は、セルラー無線またはショートメッセージサービスを利用し、基地局および前記ネットワークを介して前記携帯端末に接続可能であり、
前記第２の通信手段は、前記基地局および前記ネットワークを介することなく、光通信またはケーブルを介して前記携帯端末に接続可能であり、
前記テンプレート作成手段は、
前記照合する手段で照合した結果に基づいて、前記アイコン保存手段により保存された複数種類のアイコンから選択可能な複数種類のアイコンを検索するアイコン検索手段を含み、テンプレート作成の際に、前記アイコン保存手段により保存された複数種類のアイコンのうち前記入力利用条件を満たした複数種類のアイコンを選択するアイコン選択手段と、
前記照合する手段で照合した結果に基づいて、前記背景画面保存手段により保存された複数種類の背景画面から選択可能な複数種類の背景画面を検索する背景画面検索手段を含み、テンプレート作成の際に、前記背景画面保存手段により保存された複数種類の背景画面のうち前記入力利用条件を満たした複数種類の背景画面を選択する背景画面選択手段と、
前記アイコン選択手段により選択された複数種類のアイコンからいずれかのアイコンを選択するユーザアイコン選択手段と、
前記背景画面選択手段により選択された複数種類の背景画面からいずれかの背景画面を選択するユーザ背景画面選択手段と、
前記ユーザアイコン選択手段により選択されたアイコンと前記特定のウェブページのアドレス情報とを対応づけるリンク手段とを含み、
前記テンプレート作成手段により作成されたテンプレートは、前記ユーザ背景画面選択手段により選択された背景画面と、前記特定のウェブページのアドレス情報と対応づけられ、かつ、前記ユーザアイコン選択手段により選択されたアイコンとを含み、
前記入力利用条件および前記予定利用条件には、前記携帯端末の機種が属する分類の情報を含む、テンプレート作成装置。
【請求項２】
ウェブサーバ内のウェブページの情報を携帯端末で閲覧可能とするための変換サーバとネットワークを介して接続可能なテンプレート作成装置を用いたテンプレート作成方法をコンピュータに実行させるためのテンプレート作成プログラムであって、
前記テンプレート作成プログラムは、
前記携帯端末の利用条件である入力利用条件の入力を受付けるステップと、
前記携帯端末への送信先を特定する情報の入力を受付けるステップと、
前記携帯端末のユーザが閲覧を希望するウェブサーバ内の特定のウェブページのアドレス情報の入力を受付けるステップと、
前記入力利用条件と前記アドレス情報の入力を受付けるステップにより受付けられたアドレス情報とに基づいて、前記携帯端末が前記特定のウェブページに容易にアクセスするためのテンプレートを作成するステップと、
予め定められた複数種類の携帯端末の利用条件である予定利用条件を保存するステップと、
前記予定利用条件毎に対応させ予め定められた複数種類のアイコンであって絵文字で構成されたアイコンを保存するステップと、
前記予定利用条件毎に対応させ予め定められた複数種類のディスプレイの背景画面を保存するステップと、
前記入力利用条件と、前記予定利用条件とを照合するステップと、
前記入力利用条件と、前記アドレス情報の入力を受付けるステップにより受付けられたアドレス情報と、前記送信先を特定する情報の入力を受付けるステップにより受付けられた送信先を特定する情報と、前記テンプレートを作成するステップにより作成されたテンプレートの情報とを、個人情報として前記変換サーバへ送信するステップと、
前記テンプレートを作成するステップにより作成されたテンプレートの情報を前記携帯
端末へ送信するステップとを含み、
前記テンプレート作成装置は、前記作成されたテンプレートの情報を前記携帯端末へ送信するステップに利用可能な第１の通信手段と第２の通信手段とを備え、
前記第１の通信手段により、セルラー無線またはショートメッセージサービスを利用し、基地局および前記ネットワークを介して前記携帯端末に接続可能であり、
前記第２の通信手段により、前記基地局および前記ネットワークを介することなく、光通信またはケーブルを介して前記携帯端末に接続可能であり、
前記テンプレートを作成するステップは、
前記照合するステップで照合した結果に基づいて、前記アイコンを保存するステップにより保存された複数種類のアイコンから選択可能な複数種類のアイコンを検索するステップを含み、テンプレート作成の際に、前記アイコンを保存するステップにより保存された複数種類のアイコンのうち前記入力利用条件を満たした複数種類のアイコンを選択するステップと、
前記照合するステップで照合した結果に基づいて、前記背景画面を保存するステップにより保存された複数種類の背景画面から選択可能な複数種類の背景画面を検索するステップを含み、テンプレート作成の際に、前記背景画面を保存するステップにより保存された複数種類の背景画面のうち前記入力利用条件を満たした複数種類の背景画面を選択するステップと、
前記アイコンを選択するステップにより選択された複数種類のアイコンからいずれかのアイコンを選択するユーザアイコン選択ステップと、
前記背景画面を選択するステップにより選択された複数種類の背景画面からいずれかの背景画面を選択するユーザ背景画面選択ステップと、
前記ユーザアイコン選択ステップにより選択されたアイコンと前記特定のウェブページのアドレス情報とを対応づけるステップとを含み、
前記テンプレートを作成するステップにより作成されたテンプレートは、前記ユーザ背景画面選択ステップにより選択された背景画面と、前記特定のウェブページのアドレス情報と対応づけられ、かつ、前記ユーザアイコン選択ステップにより選択されたアイコンとを含み、
前記入力利用条件および前記予定利用条件には、前記携帯端末の機種が属する分類の情報を含む、テンプレート作成方法をコンピュータに実行させるためのテンプレート作成プログラム。
【請求項３】
請求項２に記載のテンプレート作成プログラムを記憶したコンピュータ読取可能な記憶媒体。
【発明の詳細な説明】
【０００１】
【発明の属する技術分野】
この発明はテンプレート作成装置およびテンプレート作成方法に関し、さらに詳しくは、携帯端末に対して無線で情報を送受信する基地局にネットワークを介して接続可能なテンプレート作成装置およびテンプレート作成装置を用いたテンプレート作成方法に関する。
【０００２】
【従来の技術】
従来、複数のウェブサーバにより提供される複数のウェブページは、パーソナルコンピュータ等の固定端末を用いてネットワークを介して閲覧されていた。さらに近年、携帯電話機やＰＤＡ（Personal Digital Assistant：個人用携帯型情報端末）等の携帯端末においても複数のウェブページをネットワークを介して閲覧することが可能となっている。
【０００３】
固定端末は通常、家庭で利用されるものであるため、固定端末自体のサイズについては制限を受けない。つまり、画面の表示領域は制限される必要がない。また、ネットワークを介してウェブサーバと送受信を行なう際の通信速度を高速にするために、固定端末内の通信回路を大きくし、その結果固定端末自体のサイズが大きくなっても特に問題は発生しない。
【０００４】
これに対し、携帯端末はユーザが常に携帯できることを目的としていることから、携帯端末のサイズは制限される。よって、画面の表示領域も制限される。さらに、通信回路のサイズも小さくする必要があるため、携帯端末の通信速度も制限を受ける。
【０００５】
以上の結果、固定端末では情報処理能力が高いのに対し、携帯端末では情報処理能力は低い。そこで、固定端末で閲覧されるウェブページと、携帯端末で閲覧されるウェブページとでは、ウェブページの作成に使用するプログラム言語が異なったものとなっている。具体的には、固定端末で閲覧されるウェブページの作成に使用される言語はＨＴＭＬ（Hyper Text Markup Language）である。一方、携帯端末で閲覧されるウェブページに使用される言語はＨＤＭＬ（Handheld Device Markup Language）またはＷＭＬ（Wireless Markup Language）である。
【０００６】
よって、以前は、ＨＴＭＬ言語で記述されたウェブページをユーザが携帯端末を用いて閲覧することはできなかった。
【０００７】
しかしながら近年、ＨＴＭＬ言語をＨＤＭＬまたはＷＭＬ言語に変換して送信する変換サーバがネットワーク上に登場したことから、携帯端末においてもＨＴＭＬ言語で作成されたウェブページを閲覧することが可能となっている。
【０００８】
【発明が解決しようとする課題】
ＨＴＭＬ言語で作成されたウェブページは原則固定端末での閲覧を想定した構成となっている。よって、ＨＴＭＬ言語で作成されたウェブページを変換サーバを介して携帯端末で閲覧すると、大量の情報が表示されることになる。
【０００９】
よって、ユーザがＨＴＭＬ言語で作成された複数のウェブページを連続して携帯端末に表示した場合、かなり見づらい画面表示となる。
【００１０】
また、ＨＴＭＬ言語で作成されたウェブページは大量の情報量を有している。よって、ＨＴＭＬで作成されたウェブページを携帯端末に表示するためには、固定端末に表示するより時間がかかる。その結果、携帯端末を用いて、自分の閲覧したいウェブページを探してアクセスするまでには相当の時間を要することとなる。その結果、通信料金が多大にかかる。
【００１１】
この発明の目的は、ＨＴＭＬ言語で作成されたウェブページののうち、ユーザが閲覧したいウェブページを携帯端末で容易に閲覧することができるテンプレート作成装置を提供することである。
【００１９】
【課題を解決するための手段】
この発明によるテンプレート作成装置は、ウェブサーバ内のウェブページの情報を携帯端末で閲覧可能とするための変換サーバとネットワークを介して接続可能なテンプレート作成装置であって、
前記携帯端末の利用条件である入力利用条件を入力する利用条件入力手段と、
前記携帯端末への送信先を特定する情報を入力する送信先入力手段と、
前記携帯端末のユーザが閲覧を希望するウェブサーバ内の特定のウェブページのアドレス情報を入力するアドレス情報入力手段と、
前記入力利用条件と前記アドレス情報入力手段により入力されたアドレス情報とに基づいて、前記携帯端末が前記特定のウェブページに容易にアクセスするためのテンプレートを作成するテンプレート作成手段と、
予め定められた複数種類の携帯端末の利用条件である予定利用条件を保存する利用条件保存手段と、
前記予定利用条件毎に対応させ予め定められた複数種類のアイコンであって絵文字で構成されたアイコンを保存するアイコン保存手段と、
前記予定利用条件毎に対応させ予め定められた複数種類のディスプレイの背景画面を保存する背景画面保存手段と、
前記入力利用条件と、前記予定利用条件とを照合する手段と、
前記入力利用条件と、前記アドレス情報入力手段により入力されたアドレス情報と、前記送信先入力手段により入力された送信先を特定する情報と、前記テンプレート作成手段により作成されたテンプレートの情報とを、個人情報として前記変換サーバへ送信する個人情報送信手段と、
前記テンプレート作成手段により作成されたテンプレートの情報を前記携帯端末へ送信可能な通信手段として利用可能な第１の通信手段と第２の通信手段とを含み、
前記第１の通信手段は、セルラー無線またはショートメッセージサービスを利用し、基地局および前記ネットワークを介して前記携帯端末に接続可能であり、
前記第２の通信手段は、前記基地局および前記ネットワークを介することなく、光通信またはケーブルを介して前記携帯端末に接続可能であり、
前記テンプレート作成手段は、
前記照合する手段で照合した結果に基づいて、前記アイコン保存手段により保存された複数種類のアイコンから選択可能な複数種類のアイコンを検索するアイコン検索手段を含み、テンプレート作成の際に、前記アイコン保存手段により保存された複数種類のアイコンのうち前記入力利用条件を満たした複数種類のアイコンを選択するアイコン選択手段と、
前記照合する手段で照合した結果に基づいて、前記背景画面保存手段により保存された複数種類の背景画面から選択可能な複数種類の背景画面を検索する背景画面検索手段を含み、テンプレート作成の際に、前記背景画面保存手段により保存された複数種類の背景画面のうち前記入力利用条件を満たした複数種類の背景画面を選択する背景画面選択手段と、
前記アイコン選択手段により選択された複数種類のアイコンからいずれかのアイコンを選択するユーザアイコン選択手段と、
前記背景画面選択手段により選択された複数種類の背景画面からいずれかの背景画面を選択するユーザ背景画面選択手段と、
前記ユーザアイコン選択手段により選択されたアイコンと前記特定のウェブページのアドレス情報とを対応づけるリンク手段とを含み、
前記テンプレート作成手段により作成されたテンプレートは、前記ユーザ背景画面選択手段により選択された背景画面と、前記特定のウェブページのアドレス情報と対応づけられ、かつ、前記ユーザアイコン選択手段により選択されたアイコンとを含み、
前記入力利用条件および前記予定利用条件には、前記携帯端末の機種が属する分類の情報を含む。
【００２０】
上記のウェブサーバ内のウェブページの情報を携帯端末で閲覧可能とするための変換サーバとネットワークを介して接続可能なテンプレート作成装置であって、携帯端末の利用条件である入力利用条件を入力する利用条件入力手段と、携帯端末のユーザが閲覧を希望するウェブサーバ内の特定のウェブページのアドレス情報を入力するアドレス情報入力手段と、入力利用条件とアドレス情報入力手段により入力されたアドレス情報とに基づいて、携帯端末が特定のウェブページに容易にアクセスするためのテンプレートを作成するテンプレート作成手段とにより、パーソナルコンピュータ等で閲覧できるウェブページを、ユーザは携帯端末でも容易に閲覧できる。
【００２３】
上記の予め定められた複数種類の携帯端末の利用条件である予定利用条件毎に対応させ、予め定められた複数種類のアイコンであって絵文字で構成されたアイコンを保存するアイコン保存手段と、テンプレート作成手段に含まれる、アイコン保存手段で保存された複数種類のアイコンのうち携帯端末の利用条件である入力利用条件を満たした複数種類のアイコンを選択するアイコン選択手段と、アイコン選択手段により選択された複数種類のアイコンからいずれかのアイコンを選択するユーザアイコン選択手段と、ユーザアイコン選択手段により選択されたアイコンと特定のウェブページのアドレス情報とを対応づけるリンク手段とにより、ユーザは携帯端末で閲覧したいウェブページを特定するとき、複数のアイコンのうちの１つを選択する。よって、ユーザは視覚的にウェブページの内容を把握し、閲覧したいウェブページを容易に選択できる。
【００２５】
上記の予め定められた複数種類の携帯端末の利用条件である予定利用条件を保存する利用条件保存手段と、テンプレート作成要求を出した要求発信携帯端末から送信されてきた当該携帯端末の利用条件である入力利用条件と、予定利用条件とを照合する照合手段と、照合手段で照合した結果に基づいて、アイコン保存手段により保存された複数種類のアイコンのうち入力利用条件を満たした複数種類のアイコンを選択するアイコン選択手段とにより、携帯端末の種類や契約しているコモンキャリアに応じて、適切なアイコンをテンプレートに使用することができる。
【００２７】
上記の入力利用条件と、アドレス情報入力手段により入力されたアドレス情報と、送信先入力手段により入力された送信先を特定する情報と、テンプレート作成手段により作成されたテンプレートの情報とを、個人情報として変換サーバへ送信する個人情報送信手段により、変換サーバは個人情報を保存する。よって、ユーザは携帯端末に表示するテンプレートを変換サーバから入手する。その結果、ユーザは携帯端末でウェブページを閲覧するたびごとにテンプレート作成装置からテンプレートを入手する必要がなくなる。
【００２９】
上記のテンプレート作成手段により作成されたテンプレートの情報を携帯端末へ送信可能な通信手段として利用可能な、セルラー無線またはショートメッセージサービスを利用し、基地局および前記ネットワークを介した第１の通信手段と、光通信またはケーブルを介した第２の通信手段とをテンプレート作成装置が備え、作成されたテンプレートの情報を携帯端末へ送信することにより、テンプレート作成装置で作成したテンプレートを、携帯端末の画面で確認することができる。よって、ユーザは携帯端末の画面に適したテンプレートの作成ができる。
【００４１】
この発明によるテンプレート作成プログラムは、ウェブサーバ内のウェブページの情報を携帯端末で閲覧可能とするための変換サーバとネットワークを介して接続可能なテンプレート作成装置を用いたテンプレート作成方法をコンピュータに実行させるためのテンプレート作成プログラムであって、
前記テンプレート作成プログラムは、
前記携帯端末の利用条件である入力利用条件の入力を受付けるステップと、
前記携帯端末への送信先を特定する情報の入力を受付けるステップと、
前記携帯端末のユーザが閲覧を希望するウェブサーバ内の特定のウェブページのアドレス情報の入力を受付けるステップと、
前記入力利用条件と前記アドレス情報の入力を受付けるステップにより受付けられたアドレス情報とに基づいて、前記携帯端末が前記特定のウェブページに容易にアクセスするためのテンプレートを作成するステップと、
予め定められた複数種類の携帯端末の利用条件である予定利用条件を保存するステップと、
前記予定利用条件毎に対応させ予め定められた複数種類のアイコンであって絵文字で構成されたアイコンを保存するステップと、
前記予定利用条件毎に対応させ予め定められた複数種類のディスプレイの背景画面を保存するステップと、
前記入力利用条件と、前記予定利用条件とを照合するステップと、
前記入力利用条件と、前記アドレス情報の入力を受付けるステップにより受付けられたアドレス情報と、前記送信先を特定する情報の入力を受付けるステップにより受付けられた送信先を特定する情報と、前記テンプレートを作成するステップにより作成されたテンプレートの情報とを、個人情報として前記変換サーバへ送信するステップと、
前記テンプレートを作成するステップにより作成されたテンプレートの情報を前記携帯端末へ送信するステップとを含み、
前記テンプレート作成装置は、前記作成されたテンプレートの情報を前記携帯端末へ送信するステップに利用可能な第１の通信手段と第２の通信手段とを備え、
前記第１の通信手段により、セルラー無線またはショートメッセージサービスを利用し、基地局および前記ネットワークを介して前記携帯端末に接続可能であり、
前記第２の通信手段により、前記基地局および前記ネットワークを介することなく、光通信またはケーブルを介して前記携帯端末に接続可能であり、
前記テンプレートを作成するステップは、
前記照合するステップで照合した結果に基づいて、前記アイコンを保存するステップにより保存された複数種類のアイコンから選択可能な複数種類のアイコンを検索するステップを含み、テンプレート作成の際に、前記アイコンを保存するステップにより保存された複数種類のアイコンのうち前記入力利用条件を満たした複数種類のアイコンを選択するステップと、
前記照合するステップで照合した結果に基づいて、前記背景画面を保存するステップにより保存された複数種類の背景画面から選択可能な複数種類の背景画面を検索するステップを含み、テンプレート作成の際に、前記背景画面を保存するステップにより保存された複数種類の背景画面のうち前記入力利用条件を満たした複数種類の背景画面を選択するステップと、
前記アイコンを選択するステップにより選択された複数種類のアイコンからいずれかのアイコンを選択するユーザアイコン選択ステップと、
前記背景画面を選択するステップにより選択された複数種類の背景画面からいずれかの背景画面を選択するユーザ背景画面選択ステップと、
前記ユーザアイコン選択ステップにより選択されたアイコンと前記特定のウェブページのアドレス情報とを対応づけるステップとを含み、
前記テンプレートを作成するステップにより作成されたテンプレートは、前記ユーザ背景画面選択ステップにより選択された背景画面と、前記特定のウェブページのアドレス情報と対応づけられ、かつ、前記ユーザアイコン選択ステップにより選択されたアイコンとを含み、
前記入力利用条件および前記予定利用条件には、前記携帯端末の機種が属する分類の情報を含む。
【００４２】
上記のウェブサーバ内のウェブページの情報を携帯端末で閲覧可能とするための変換サーバとネットワークを介して接続可能なテンプレート作成装置を用いたテンプレート作成方法をコンピュータに実行させるためのテンプレート作成プログラムであって、携帯端末の利用条件である入力利用条件の入力を受付けるステップと、携帯端末のユーザが閲覧を希望するウェブサーバ内の特定のウェブページのアドレス情報の入力を受付けるステップと、入力利用条件とアドレス情報の入力を受付けるステップにより受付けられたアドレス情報とに基づいて、携帯端末が特定のウェブページに容易にアクセスするためのテンプレートを作成するステップとにより、パーソナルコンピュータ等で閲覧できるウェブページを、ユーザは携帯端末でも容易に閲覧できる。
【００４５】
上記の予め定められた複数種類の携帯端末の利用条件である予定利用条件毎に対応させ、予め定められた複数種類のアイコンであって絵文字で構成されたアイコンを保存するステップと、テンプレートを作成するステップに含まれる、アイコンを保存するステップで保存された複数種類のアイコンのうち携帯端末の利用条件である入力利用条件を満たした複数種類のアイコンを選択するステップと、アイコンを選択するステップにより選択された複数種類のアイコンからいずれかのアイコンを選択するユーザアイコン選択ステップと、ユーザアイコン選択ステップにより選択されたアイコンと特定のウェブページのアドレス情報とを対応づけるステップとにより、ユーザは携帯端末で閲覧したいウェブページを特定するとき、複数のアイコンのうちの１つを選択する。よって、ユーザは視覚的にウェブページの内容を把握し、閲覧したいウェブページを容易に選択できる。
【００４７】
上記の予め定められた複数種類の携帯端末の利用条件である予定利用条件を保存するステップと、テンプレート作成要求を出した要求発信携帯端末から送信されてきた当該携帯端末の利用条件である入力利用条件と、予定利用条件とを照合するステップと、照合するステップで照合した結果に基づいて、アイコンを保存するステップにより保存された複数種類のアイコンのうち入力利用条件を満たした複数種類のアイコンを選択するステップとにより、携帯端末の種類や契約しているコモンキャリアに応じて、適切なアイコンをテンプレートに使用することができる。
【００４９】
上記の入力利用条件と、携帯端末への送信先を特定する情報の入力を受付けるステップにより受付けられた送信先を特定する情報と、アドレス情報の入力を受付けるステップにより受付けられたアドレス情報と、テンプレートを作成するステップにより作成されたテンプレートの情報とを、個人情報として変換サーバへ送信するステップにより、変換サーバは個人情報を保存する。よって、ユーザは携帯端末に表示するテンプレートを変換サーバから入手する。その結果、ユーザは携帯端末でウェブページを閲覧するたびごとにテンプレート作成装置からテンプレートを入手する必要がなくなる。
【００５１】
上記のテンプレートを作成するステップにより作成されたテンプレートの情報を携帯端末へ送信するステップに利用可能な、セルラー無線またはショートメッセージサービスを利用し、基地局および前記ネットワークを介した第１の通信手段と、光通信またはケーブルを介した第２の通信手段とをテンプレート作成装置が備え、作成されたテンプレートの情報を携帯端末へ送信することにより、テンプレート作成装置で作成したテンプレートを、携帯端末の画面で確認することができる。よって、ユーザは携帯端末の画面に適したテ
ンプレートの作成ができる。
【００５２】
【発明の実施の形態】
以下、この発明の実施の形態について図面を参照して詳しく説明する。なお、図中同一または相当部分には同一符号を付してその説明は繰り返さない。
【００５３】
［実施の形態１］
図１はこの発明の実施の形態１におけるテンプレート作成システムの全体構成を示す概略ブロック図である。
【００５４】
図１を参照して、テンプレート作成システムは携帯端末１と、基地局２とネットワーク３と、複数のサーバ４と、テンプレート作成装置５とを含む。
【００５５】
テンプレート作成装置５はネットワーク３を介して基地局２とサーバ４とに接続される。基地局２は、携帯端末１と無線で接続される。複数のサーバ４は、それぞれに複数のウェブページを有する。
【００５６】
携帯端末１は、基地局２およびネットワーク３を介して複数のサーバ４内の複数のウェブページの各々の内容を閲覧できる。ただし、携帯端末１でサーバ４内の複数のウェブページのいづれかを閲覧する場合には、変換機能を有するテンプレート作成装置５を用いて閲覧を希望するウェブページを携帯端末１で閲覧できるプログラム言語（ＨＤＭＬ言語またはＷＭＬ言語）に変換する必要がある。なぜなら、サーバ４内の複数のウェブページは通常固定端末で閲覧するためのものであるため、ＨＴＭＬ言語で作成されているからである。
【００５７】
テンプレート作成装置５は、先述のとおり、携帯端末１のユーザが閲覧を希望するサーバ４内のウェブページのプログラム言語を携帯端末１で閲覧できるように変換する。さらにテンプレート作成装置５は、携帯端末１でサーバ４内のウェブページを容易に閲覧するためにテンプレートを作成する。
【００５８】
図２はこの発明の実施の形態１におけるテンプレート作成装置５の構成を示すブロック図である。
【００５９】
図２を参照して、テンプレート作成装置５は、中央処理装置（ＣＰＵ）５１と、メモリ５２と、モデム５３と、ＣＲＴやＬＣＤなどからなるディスプレイ５４と、ハードディスク５５と、記憶媒体ドライブ５６と、キーボード５７と、マウス５８とを含む。
【００６０】
メモリ５２およびハードディスク５５はメモリとして機能する。キーボード５７およびマウス５８は入力装置として機能する。ディスプレイ５４は出力装置として機能する。これらは相互にバス５９により接続されている。
【００６１】
記憶媒体６０はコンピュータが読取可能な記憶媒体であって、後述するテンプレート作成プログラムが予め記憶されている。この記憶媒体６０を記憶媒体ドライブ５６に装着し、テンプレート作成プログラムをハードディスク５５にインストールすると、このテンプレート作成装置５は後述するテンプレート作成処理を実行できる。なお、ここで記憶媒体６０は、ＣＤ−ＲＯＭや光磁気（ＭＯ）ディスクやフロッピー（Ｒ）ディスクなどの記憶媒体である。また、通常はテンプレート作成プログラムを動作可能にするためのオペレーションシステム（ＯＳ）がハードディスク５５に予めインストールされている。
【００６２】
図３はテンプレート作成装置５に記憶されたテンプレート作成プログラムの動作を示すフローチャートである。
【００６３】
図３を参照して、はじめに、携帯端末１のユーザは閲覧したいウェブページを有するサーバ４に対して携帯端末１を用いてアクセスする（ステップＳ１）。基地局２は携帯端末１のアクセスを受信後、携帯端末１のアクセス情報をサーバ４へ送信する（ステップＳ２）。サーバ４は携帯端末１からのアクセスを受信後（ステップＳ３）、携帯端末１のユーザが閲覧したいウェブページをテンプレート作成装置５へ送信する（ステップＳ４）。テンプレート作成装置５はサーバ４からのウェブページを受信後（ステップＳ５）、ＨＴＭＬ言語で作成されたウェブページをＨＤＭＬ言語またはＷＭＬ言語に変換し、変換されたウェブページを基地局２へ送信する（ステップＳ６）。基地局２は変換されたウェブページを受信し、携帯端末１へ送信する（ステップＳ７）。携帯端末１は変換されたウェブページを受信後、ディスプレイ（図示せず）にウェブページを表示する（ステップＳ８）。
【００６４】
以上の動作により、ユーザはサーバ４内のウェブページを携帯端末１で閲覧することができる。
【００６５】
続いて、テンプレート作成装置５がテンプレートを作成する動作について説明する。テンプレート作成装置５がテンプレートを作成することにより、ユーザはより容易にウェブページを携帯端末１で閲覧できる。
【００６６】
ユーザがステップＳ８で携帯端末１のディスプレイに表示されたウェブページを気に入り、今後も閲覧したい場合、テンプレートの作成依頼をテンプレート作成装置５へ送信する（ステップＳ９）。テンプレート作成依頼は基地局２を介して（ステップＳ１０）、テンプレート作成装置５で受信される（ステップＳ１１）。テンプレート作成装置５は携帯端末１へ登録メニュー画面を送信する（ステップＳ１２）。登録画面メニューは基地局２を介して（ステップＳ１３）携帯端末１で受信される（ステップＳ１４）。
【００６７】
続いて、携帯端末１のユーザは携帯端末１のディスプレイに表示された登録画面にしたがって、テンプレート作成条件を入力する（ステップＳ１５）。
【００６８】
図４は、図３中のステップＳ１５における登録メニュー画面を示す図である。図４を参照して、ステップＳ１５において、はじめに携帯端末１のディスプレイに図４（Ａ）に示す登録メニュー画面が表示される。図４（Ａ）は携帯端末の種類について選択を求める画面であり、いくつかの携帯端末の種類が選択肢として表示される。携帯端末１のユーザは図４（Ａ）の画面を参照して、携帯端末１の種類について選択する。なお、選択肢のいづれかを選択する場合には、携帯端末１に備えられた複数の入力ボタン等（図示せず）を用いて選択する。
【００６９】
図４（Ａ）で携帯端末の種類を選択後、ユーザは図４（Ａ）内の「次へ」ボタン１５１を選択する。ユーザが「次へ」ボタン１５１を選択後、携帯端末１のディスプレイ画面は図４（Ｂ）が表示される。図４（Ｂ）はユーザが利用している携帯端末のコモンキャリアについて選択を求める画面であり、いくつかのコモンキャリア名が選択肢として表示される。携帯端末１のユーザは図４（Ｂ）の画面を参照して、ユーザが利用しているコモンキャリアを選択する。選択後、ユーザは「次へ」ボタン１５３を選択すると、図４（Ｃ）の画面が表示される。なお、ここで、ユーザが図４（Ａ）の画面での選択を誤ったと判断した場合、「戻る」ボタン１５２を選択すれば、図４（Ａ）画面が再び表示される。よって、ユーザは携帯端末の種類についての選択をやり直すことができる。
【００７０】
図４（Ｃ）画面は図４（Ａ）画面で選択した携帯端末の種類において、さらに詳細な機種についての選択を求める画面である。たとえば、図４（Ａ）画面でユーザが「携帯電話機」を選択した場合、図４（Ｃ）画面では、携帯電話機の機種名が選択肢として表示される。図４（Ｃ）に示された選択肢を選択後、ユーザが「次へ」ボタン１５５を選択すると、携帯端末１のディスプレイ上には図４（Ｄ）画面が表示される。なお、ユーザが「戻る」ボタン１５４を選択した場合、携帯端末１のディスプレイ上には再び図４（Ｂ）画面が表示される。
【００７１】
図４（Ｄ）画面はユーザの携帯端末１の電話番号の入力を求める画面である。ユーザが図４（Ｄ）画面で携帯番号を入力後、「次へ」ボタン１５７を選択した場合、図４（Ａ）〜（Ｄ）で選択または入力した情報がテンプレート作成装置５へ送信される。なお、ユーザが「戻る」ボタン１５６を選択した場合は、携帯端末１のディスプレイ上に図面４（Ｃ）が表示される。
【００７２】
ステップＳ１５での動作により、ユーザはテンプレート作成装置５がテンプレートを作成するときの制約条件と作成されたテンプレートの送信先を特定する情報をテンプレート作成装置５へ提供する。以下、ステップＳ１５でテンプレート作成装置５へ送信された情報を個人情報と称する。
【００７３】
再び図３に戻って、ステップＳ１５で入力された個人情報は基地局２を介して（ステップＳ１６）テンプレート作成装置５で受信される（ステップＳ１７）。
【００７４】
テンプレート作成装置５は、ステップＳ１７で受信した個人情報と、予めハードディスク５５に保存されているテンプレート作成情報とを照合し、最適なテンプレート作成情報を選択する（ステップＳ１８）。ここで、テンプレート作成情報とは、携帯端末１のテンプレート作成制約条件ごとに作成された複数のアイコンおよびディスプレイの背景画面をいう。
【００７５】
テンプレート作成装置５は、ステップＳ１８で照合し、選択したテンプレート作成情報を携帯端末１へ送信する（ステップＳ１９）。テンプレート作成情報は基地局２を介して（ステップＳ２０）携帯端末１で受信され、携帯端末１のディスプレイ上にテンプレート作成情報画面として表示される（ステップＳ２１）。
【００７６】
携帯端末１のユーザは携帯端末１のディスプレイ上に表示されたテンプレート作成情報画面を参照して、テンプレートを作成する（ステップＳ２２）。
【００７７】
ステップＳ２２でのテンプレートの作成は、携帯端末１のディスプレイの背景画面の選択と、アイコン選択とで行なわれる。
【００７８】
具体的には、はじめに複数の背景画面サンプルが携帯端末１のディスプレイ上に表示される。ユーザは複数の背景画面サンプルのうち、気に入った背景画面サンプルを選択する。
【００７９】
次に、携帯端末１のディスプレイ上には、複数のアイコンサンプルが表示される。
【００８０】
図５は図３中のステップＳ２１およびステップＳ２２で表示されるテンプレート作成情報画面のうち、アイコンサンプルが表示された画面の一例を示した図である。
【００８１】
図５を参照して、携帯端末１のユーザがアイコンを選択するとき、はじめに携帯端末１のディスプレイ上には図５（Ａ）の画面が表示される。図５（Ａ）の画面はステップＳ８で携帯端末１のディスプレイに表示されたウェブページの種類を選択するための画面である。図５（Ａ）画面には、「スポーツ」部、「音楽」部、「天気」部、「その他」部が表示されている。たとえば、ステップＳ８でディスプレイに表示されたウェブページがスポーツの内容のウェブページである場合、ユーザは図５（Ａ）画面中の「スポーツ」部を選択する。「スポーツ」部を選択後、図５（Ａ）画面中の「次へ」ボタンを選択すると、携帯端末１のディスプレイ上の画像は図５（Ｂ）のようになる。図５（Ｂ）はステップＳ８で表示されたウェブページをリンク先とするアイコンを選択するための画面である。図５（Ｂ）画面には、スポーツに関連する複数のアイコン２２１〜２２５が表示されている。ユーザはアイコン２２１〜２２５のうち、気に入ったアイコンを選択する。ユーザが気に入ったアイコンが２２２である場合、ユーザはアイコン２２２を選択し、「次へ」ボタン２２７を選択する。ユーザが「次へ」ボタン２２７を選択したとき、ステップＳ８で表示されたウェブページをリンク先とするアイコンが決定する。なお、ステップＳ８で表示されたウェブページの種類がスポーツでなく、携帯端末１の表示画面を再び図５（Ａ）画面に戻したい場合、ユーザは図５（Ｂ）画面中の「戻る」ボタン２２６を選択する。「戻る」ボタン２２６を選択した場合、携帯端末１のディスプレイ上には再び図５（Ａ）画面が表示される。
【００８２】
同様に、ステップＳ８で表示されたウェブページが音楽の内容であれば、ユーザは図５（Ａ）画面中の「音楽」部を選択後、「次へ」ボタン２２０を選択する。すると図５（Ａ）画面から図５（Ｃ）画面へとディスプレイの画面が変更される。ユーザは図５（Ｃ）に表示された複数のアイコンから気に入ったアイコンを選択する。
【００８３】
同様に、ステップＳ８で表示されたウェブページが天気の内容であれば、ユーザは図５（Ａ）画面中の「天気」部を選択後、「次へ」ボタン２２０を選択する。すると、図５（Ａ）画面から図５（Ｄ）画面へとディスプレイの画面が変更される。
【００８４】
ステップＳ２２で、ディスプレイの背景画面とアイコンとを選択した情報は、基地局２を介してテンプレート作成装置５に送信される。ディスプレイの背景画面とアイコンとを選択した情報は、基地局２を介して（ステップＳ２３）テンプレート作成装置５に受信される（ステップＳ２４）。
【００８５】
テンプレート作成装置５は、ステップＳ２４で受信した情報に基づいて、携帯端末１用のテンプレートを作成する（ステップＳ２５）。作成されたテンプレートは基地局２を介して携帯端末１へ送信される（ステップＳ２６）。
【００８６】
送信されたテンプレートは基地局２を介して（ステップＳ２７）携帯端末１で受信され、ディスプレイ上に表示される（ステップＳ２８）。
【００８７】
図６は図３中のステップＳ２８で表示されるテンプレートを示す図である。
図６（Ａ）は、ステップＳ２２でテンプレート背景画面として白色無地を選択し、かつ図３中のステップＳ８で表示されたウェブページをリンク先とするアイコンとして、図５（Ｂ）中のアイコン２２２を選択した場合のテンプレートである。
【００８８】
また、図６（Ｂ）は、ステップＳ２２でテンプレート背景画面として白色無地を選択し、かつ、異なるウェブページをリンク先とする３つのアイコンを選択した場合のテンプレートである。
【００８９】
なお、この実施の形態の説明では、1つのアイコンは1つのウェブページをリンク先としているが、1つのアイコンが複数のウェブページをリンク先としてもよい。
【００９０】
また、図６（Ａ），（Ｂ）は携帯端末１のディスプレイのサイズが９６×６４画素の場合のテンプレートであるが、携帯端末１のディスプレイのサイズが１２８×１６０画素の場合においてもテンプレートの作成は可能である。たとえば、図６（Ｃ）は携帯端末１のディスプレイのサイズが１２８×１６０画素の場合の背景画面の一例である。
【００９１】
ステップＳ２８で携帯端末１のディスプレイ上に表示されたテンプレートを確認後、ユーザは、ステップＳ２８で表示されたテンプレートで確定してよいか否か判断する（ステップＳ２９）。ユーザがテンプレートの作成のやり直しを行ないたい場合は、再びステップＳ２２へ戻り、背景画面、アイコンの選択を行なう。ユーザがステップＳ２８で表示されたテンプレートでよいと判断した場合、その旨を基地局２を介してテンプレート作成装置５に送信する。
【００９２】
ステップＳ２８で表示されたテンプレートで確定する旨の情報は基地局２を介して（ステップＳ３０）テンプレート作成装置５で受信される（ステップＳ３１）。
【００９３】
ステップＳ３１の後、テンプレート作成装置５は作成したテンプレートをハードディスク５５で保存する（ステップＳ３２）。なお、保存するときにはステップＳ１１で受信した個人情報とともに保存し、テンプレートを作成したユーザを特定できるようにしておく。
【００９４】
以上の動作により、テンプレート作成装置５でテンプレートを作成することができる。
【００９５】
次に、図３の動作により作成されたテンプレートを用いて、携帯端末１のディスプレイでサーバ４内のウェブページを表示するときの携帯端末１およびテンプレート作成装置５の動作について説明する。
【００９６】
図７は作成されたテンプレートを用いて携帯端末１にウェブページを表示する場合のテンプレート作成プログラムの動作を示すフローチャートである。
【００９７】
図７を参照して、ユーザは携帯端末１を用いてテンプレート作成装置５へアクセス依頼を送信する（ステップＳ４１）。アクセス依頼は基地局２を介して（ステップＳ４２）テンプレート作成装置５で受信される（ステップＳ４３）。
【００９８】
テンプレート作成装置はアクセス依頼を受信後、アクセス依頼を行なった携帯端末１に対して、予め作成されたテンプレートを送信する（ステップＳ４４）。このとき、テンプレート作成装置５はアクセス依頼を行なった携帯端末１の電話番号を特定し、携帯端末１の電話番号とテンプレート作成装置５内のハードディスク５５に保存してある個人情報とを照合して、携帯端末１に送信すべきテンプレートを特定する。
【００９９】
特定されたテンプレートは基地局２を介して（ステップＳ４５）携帯端末１で受信される（ステップＳ４６）。携帯端末１は受信したテンプレートをディスプレイ上に表示する。
【０１００】
ユーザはステップＳ４６で携帯端末１のディスプレイ上に表示されたテンプレートから、閲覧したいウェブページをリンクしているアイコンを選択する（ステップＳ４７）。たとえば、ステップＳ４６で図６（Ｂ）のテンプレートが表示されている場合であって、ユーザがスポーツウェブページを閲覧したい場合は、野球ボールの絵が描かれたアイコン３００を選択する。携帯端末１は選択されたアイコン情報をテンプレート作成装置５へ送信する。
【０１０１】
選択されたアイコン情報は基地局２を介して（ステップＳ４８）テンプレート作成装置５で受信される（ステップＳ４９）。テンプレート作成装置５は受信したアイコン情報に基づいて、選択されたアイコンで特定されるウェブページのＵＲＬをネットワーク３を介してサーバ４に送信する（ステップＳ５０）。サーバ４はテンプレート作成装置５から送信されたＵＲＬを受信後（ステップＳ５１）、ＵＲＬで特定されたウェブページを送信する（ステップＳ５２）。送信されたウェブページはテンプレート作成装置５で受信される（ステップＳ５３）。
【０１０２】
テンプレート作成装置５がステップＳ５４で受信したウェブページはＨＴＭＬ言語で作成されている。よって、ウェブページがＨＴＭＬ言語のままでは携帯端末１で閲覧できないため、ウェブページをテンプレート作成装置５でＨＤＭＬ言語またはＷＭＬ言語に変換する（ステップＳ５４）。変換されたウェブページは携帯端末１へ送信される（ステップＳ５５）。変換されたウェブページは基地局２を介して（ステップＳ５６）携帯端末１で受信される（ステップＳ５７）。携帯端末１は変換されたウェブページを受信後、ディスプレイに表示する（ステップＳ５８）。
【０１０３】
以上の動作により、ユーザはＨＴＭＬ言語で作成されたウェブページを効率よく容易に携帯端末で閲覧することができる。
【０１０４】
なお、作成したテンプレートに表示されるアイコンに２つ以上のウェブページをリンクしている場合でも、ステップＳ４７でユーザがアイコンを選択後、さらにウェブページのＵＲＬを選択することで、ユーザが閲覧したいウェブページを携帯端末１で容易に表示することができる。この場合は、ステップＳ４７でユーザがテンプレート内の特定のアイコンを選択後、選択したアイコンにリンクされたウェブページのＵＲＬの一覧表が携帯端末１のディスプレイ上に表示される。よって、ユーザが表示された一覧表から特定のＵＲＬを選択し、テンプレート作成装置５へ特定したＵＲＬの情報を送信すればよい。
【０１０５】
［実施の形態２］
図８はこの発明の実施の形態２におけるテンプレート作成システムの全体構成を示す概略ブロック図である。
【０１０６】
図８を参照して、実施の形態２におけるテンプレート作成システムは、図１と比較して、テンプレート作成装置５の代わりにテンプレート作成装置７が設置され、新たに変換サーバ６が設置される。テンプレート作成装置７および変換サーバ６はネットワーク３を介して基地局２および複数のサーバ４と接続できる。また、テンプレート作成装置７はＩｒＤＡ（Infrared Data Association）やトラフィックチャンネル、ケーブル、ショートメッセージサービス（Short Message Service）等を用いて携帯端末１と通信できる。
【０１０７】
変換サーバ６はデータベース６１と、変換部６３と、通信部６４とを含む。データベース６１は個人情報ファイル６２を含む。個人情報ファイル６２はテンプレート作成装置７から送信される個人情報を保存する。変換部６３はサーバ４から送信されたＨＴＭＬ言語で記述されたウェブページを携帯端末１で閲覧できる言語プログラムに変換する。携帯端末１で閲覧できる言語プログラムとは、たとえばＨＤＭＬ言語やＷＭＬ言語である。通信部６４はネットワーク３を介して基地局２やサーバ４やテンプレート作成装置７とデータの送受信を行なう。
【０１０８】
テンプレート作成装置７の構成は図２と同じであるため、その説明は繰り返さない。
【０１０９】
以上の構成を有するテンプレート作成システムの動作について説明する。
図９はこの発明の実施の形態２におけるテンプレート作成システムの動作を示すフローチャートである。
【０１１０】
図９を参照して、ユーザは、自宅等に設置してあるテンプレート作成装置７を用いて、複数のサーバ４の内の１つへアクセス依頼を送信する（ステップＳ６１）。サーバ４はテンプレート作成装置７からのアクセス依頼を受信し（ステップＳ６２）、テンプレート作成装置７のユーザが閲覧したいウェブページをテンプレート作成装置７へ送信する（ステップＳ６３）。テンプレート作成装置はサーバ４からウェブページを受信後、そのウェブページをディスプレイ５４に表示する（ステップＳ６４）。ユーザが表示されたウェブページについてテンプレートを作成したい場合、キーボード５７またはマウス５８でその旨をテンプレート作成装置７に入力する。その結果、ハードディスク５５に保存されたテンプレート作成画面がディスプレイ５４に表示される（ステップＳ６５）。
【０１１１】
続いて、ユーザはテンプレート作成装置７のディスプレイ５４に表示された登録画面にしたがって、個人情報を入力する（ステップＳ６６）。
【０１１２】
テンプレート作成条件の入力方法は図３に示したステップＳ１５の動作と同じであるため、その説明は繰り返さない。
【０１１３】
続いて、テンプレート作成装置７はステップＳ６６で入力された個人情報と、予めハードディスク５５に保存されているテンプレート作成情報とを照合し、最適なテンプレート作成情報を選択する（ステップＳ６７）。ここで、テンプレート作成情報とは、携帯端末１の作成制約条件ごとに作成された複数のアイコンおよびディスプレイの背景画面をいう。
【０１１４】
選択されたテンプレート作成情報はディスプレイ５４に表示される（ステップＳ６８）。ユーザはディスプレイ５４に表示されたテンプレート作成情報に基づいて、図３のステップＳ２２と同様の方法で背景画面およびアイコンを選択する。テンプレート作成装置７はユーザが選択した背景画面およびアイコンに基づいて図３のステップＳ２５と同様の方法でテンプレートを作成する（ステップＳ６９）。作成されたテンプレートはディスプレイ５４に表示される。
【０１１５】
図１０は図９中のステップＳ６９でテンプレート作成装置のディスプレイに表示される画面の一例である。
【０１１６】
図１０を参照して、テンプレート作成装置７は作成したテンプレート８１を携帯端末１のディスプレイと同じ画面サイズで表示する。
【０１１７】
再び図９に戻って、さらにテンプレート作成装置７はＩｒＤＡ、トラフィックチャンネル、ケーブル、ショートメッセージサービス等を利用して、携帯端末１に作成したテンプレートを送信する（ステップＳ７０）。送信されたテンプレートは携帯端末１で受信され（ステップＳ７１）、携帯端末１のディスプレイに表示される（ステップＳ７２）。
【０１１８】
ユーザは携帯端末１のディスプレイに表示されたテンプレートおよびテンプレート作成装置７のディスプレイ５４に表示されたテンプレートを確認後、作成されたテンプレートで自分が満足しているかを判断する。ステップＳ６９で作成されたテンプレートでユーザが満足している場合、ユーザは図１０中の「ＯＫ」ボタン８２をマウス５８等を用いて選択する（ステップＳ７３）。このとき、テンプレート作成装置７は作成したテンプレート情報およびステップＳ６６で入力した個人情報を変換サーバ６へ送信する（ステップＳ７４）。変換サーバ６はテンプレート情報および個人情報を受信後（ステップＳ７５）、テンプレートを個人情報と対応付けてデータベース６１内の個人情報ファイル６２に保存する（ステップＳ７６）。
【０１１９】
これに対して、ステップＳ７３でユーザが作成したテンプレートに満足せず、変更したい場合、ユーザは図１０中の「ＮＧ」ボタン８３を選択する。この場合、テンプレート作成装置７の動作はステップＳ６８まで戻り、ユーザは再度背景画面やアイコンの選択が可能となる。
【０１２０】
続いて、、図９の動作により作成されたテンプレートを用いて、携帯端末１のディスプレイでサーバ４内のウェブページを表示するときの携帯端末１および変換サーバ６の動作について説明する。
【０１２１】
作成されたテンプレートを用いて、ユーザが携帯端末１でウェブページを閲覧する動作は、図７と同じである。ただし、図７中のテンプレート作成装置５の動作を変換サーバ６が行なう。
【０１２２】
以上説明したテンプレート作成処理は、テンプレート作成処理を機能させるためのプログラムで実現される。
【０１２３】
この発明の対象とするのは、このプログラムそのものであってもよいし、このプログラムを記憶しているコンピュータで読取可能な記憶媒体であってもよい。
【０１２４】
この発明では、この記憶媒体が、図１および図８中のテンプレート作成装置で処理が行なわれるために必要な図示していないメモリ、たとえばＲＯＭのようなものそのものであってもよいし、また図示していないがテンプレート作成装置の外部にプログラム読取装置が設けられ、そこに記憶媒体を挿入することで読取り可能な記憶装置のようなものであってもよい。いずれの場合においても、記憶されているプログラムはテンプレート作成装置がアクセスして実行させる構成であってもよいし、あるいはいずれの場合もプログラムを読出し、読出されたプログラムは、テンプレート作成装置の図示されていないプログラム記憶エリアにロードされて、そのプログラムが実行される方式であってもよい。このロード用のプログラムは予めテンプレート作成装置に記憶されているものとする。
【０１２５】
ここで、上記記憶媒体は、テンプレート作成装置と分離可能に構成され、磁気テープやカセットテープ等のテープ系、フロッピー（Ｒ）ディスクやハードディスク等の磁気ディスクやＣＤ−ＲＯＭ、ＭＯ、ＭＤ、ＤＶＤ等の光ディスクのディスク系、ＩＣカード、メモリカード、光カード等のカード系、あるいはマスクＲＯＭ、ＥＰＲＯＭ、ＥＥＰＲＯＭ、フラッシュＲＯＭ等による半導体メモリを含めた固定的にプログラムを記憶する媒体であってもよい。
【０１２６】
また、本発明においてはインターネット等のネットワークと接続可能なシステム構成であることから、ネットワークからプログラムをダウンロードするように流動的にプログラムを記憶する媒体であってもよい。なお、このようにネットワークからプログラムをダウンロードする場合には、そのダウンロード用プログラムは予めテンプレート作成装置にインストールされるか、あるいは別な記憶媒体からインストールされるものであってもよい。
【０１２７】
なお、記憶媒体に記憶されている内容としてはプログラムに限定されず、データであってもよい。
【０１２８】
また、この発明では、プログラムとして、図１および図８に示されているテンプレート作成装置で実行される処理そのものであってもよいし、あるいはインターネットを含むネットワークとアクセスすることで取込める、あるいは取込めたものであってもよいし、こちらから送り出すものであってもよい。さらには、この取込んだプログラムに基づいて、テンプレート作成装置で処理された結果、つまり生成されたものであってもよい。あるいは、こちらから送り出す際に上記テンプレート作成装置内で処理された結果、つまり生成されたものであってもよい。
【０１２９】
なお、これらのものはプログラムに限定されず、データであってもよい。
今回開示された実施の形態はすべての点で例示であって制限的なものではないと解釈されるべきである。本発明の範囲は上述した実施の形態ではなく特許請求の範囲によって定められ、特許請求の範囲と均等の意味およびその範囲内でのすべての変更が含まれることを意図するものである。
【０１３０】
【発明の効果】
この発明によると、テンプレート作成装置は、ユーザが閲覧したいウェブページについてアイコンを用いてテンプレートを作成する。よって、ユーザは携帯端末で閲覧したいウェブページを特定するとき、複数のアイコンのうちの１つを選択する。これにより、ユーザは視覚的にウェブページの内容を把握し、閲覧したいウェブページを容易に選択できる。
【図面の簡単な説明】
【図１】  この発明の実施の形態１におけるテンプレート作成システムの全体構成を示す概略ブロック図である。
【図２】  この発明の実施の形態１におけるテンプレート作成装置５の構成を示すブロック図である。
【図３】  テンプレート作成装置５に記憶されたテンプレート作成プログラムの動作を示すフローチャートである。
【図４】  図３中のステップＳ１５における登録メニュー画面を示す図である。
【図５】  図３中のステップＳ２１およびステップＳ２２で表示されるテンプレート作成情報画面のうち、アイコンサンプルが表示された画面の一例を示した図である。
【図６】  図３中のステップＳ２８で表示されるテンプレートを示す図である。
【図７】  作成されたテンプレートを用いて携帯端末１にウェブページを表示する場合のテンプレート作成プログラムの動作を示すフローチャートである。
【図８】  この発明の実施の形態２におけるテンプレート作成システムの全体構成を示す概略ブロック図である。
【図９】  この発明の実施の形態２におけるテンプレート作成システムの動作を示すフローチャートである。
【図１０】  図９中のステップＳ６９でテンプレート作成装置のディスプレイに表示される画面の一例である。
【符号の説明】
１  携帯端末、２  基地局、３  ネットワーク、４  サーバ、５，７  テンプレート作成装置、６  変換サーバ、５２  メモリ、５３  モデム、５４  ディスプレイ、５５  ハードディスク、５６  記憶媒体ドライブ、５７  キーボード、５８  マウス、５９  バス、６０  記憶媒体、６１  データベース、６２  個人情報ファイル、６３  変換部、６４  通信部。
【図１】
0004007792.tif 000002
【図２】
0004007792.tif 000003
【図３】
0004007792.tif 000004
【図４】
0004007792.tif 000005
【図５】
0004007792.tif 000006
【図６】
0004007792.tif 000007
【図７】
0004007792.tif 000008
【図８】
0004007792.tif 000009
【図９】
0004007792.tif 000010
【図１０】
0004007792.tif 000011